(57)【要約】      （修正有）【課題】ＡＣコードの２本の銅線束の二極間を完全に絶縁でき、切れた銅線束の銅線が接触することを防げ、接触による火災の発生等を防止できるＡＣコードの接続構造を提供する。【解決手段】合成樹脂製の筐体１の所定箇所に上向きで且つ一体に小壁部２を突出形成し小壁部２の上端に略Ｌ字形の係止片３を設け、基板４に小壁部２と対応する箇所に切り溝４ａを形成し、基板４が筐体１内に配置されるとき基板４の切り溝４ａに小壁部２を嵌め入れ、筐体１の側壁１ａに設けた溝部分１ｂから筐体１内に入り込んだＡＣコード５の先端が二股状にされ、二股状部分５ａ、５ｂを小壁部２を跨ぐように配設し、ＡＣコード５の二股状部分５ａ、５ｂの近傍に形成した貫通孔５ｃを小壁部２の上端の略Ｌ字形の係止片３に嵌めて係止し、ＡＣコード５の二股状部分５ａ、５ｂの先端の銅線束６を基板４のパターンに半田付けで接続する。【選択図】図１
2006012618.tif 000002
【特許請求の範囲】
【請求項１】
合成樹脂からなる筐体の内部に基板を配設し、この基板にＡＣコードを接続するようにしたＡＣコードの接続構造において、前記合成樹脂からなる筐体の所定箇所に上向きで且つ一体に小壁部が突出形成され、この小壁部の上端に略Ｌ字形の係止片が設けられ、前記基板には前記小壁部と対応する箇所に切り溝が形成され、前記基板が前記筐体内に配置されるときに、前記基板の切り溝に前記小壁部が嵌め入れられ、前記筐体の側壁に設けられた溝部分から筐体内に入り込んだＡＣコードの先端が二股状にされ、この二股状部分が前記小壁部を跨ぐように配設され、更に、このＡＣコードの二股状部分の近傍に形成された貫通孔が前記小壁部の上端の略Ｌ字形の係止片に嵌められて係止され、前記ＡＣコードの二股状部分の先端の銅線束が前記基板のパターンに半田付けで接続されるように構成されたことを特徴とするＡＣコードの接続構造。
【請求項２】
合成樹脂或いは金属からなる筐体の内部に基板を配設し、この基板にＡＣコードを接続するようにしたＡＣコードの接続構造において、前記筐体の所定箇所に上向きの小壁部が立設され、前記基板には前記小壁部と対応する箇所に切り溝或いは孔部が形成され、前記基板が前記筐体内に配置される時に、前記基板の切り溝或いは孔部に前記小壁部が嵌め入れられ、前記筐体の側壁から内部に入り込んだＡＣコードの先端が二股状にされ、この二股状部分が前記小壁部を跨ぐように配設され、この二股状部分の先端の銅線束が前記基板のパターンに半田付けで接続されるように構成されたことを特徴とするＡＣコードの接続構造。
【請求項３】
前記筐体は合成樹脂からなり、前記小壁部は前記筐体の所定箇所に上向きで且つ一体の山形状に形成されている請求項２に記載のＡＣコードの接続構造。
【請求項４】
前記筐体は金属からなり、前記小壁部の下部に一対の脚部が設けられ、この脚部の下端に係止爪が形成され、前記筐体には、前記小壁部の一対の脚部が挿入されて前記係止爪が下面に係止される係止孔が形成されている請求孔２に記載のＡＣコードの接続構造。
【請求項５】
前記筐体の係止孔の周囲部分が上向きに盛り上がり形成され、前記小壁部の脚部の下部が挿入されて係止爪が係止された状態で、前記脚部の下端が前記筐体の下面より下側に突出しないように構成された請求項４に記載のＡＣコードの接続構造。
【請求項６】
前記小壁部の両面に、前記ＡＣコードの二股状部分を抜け止め固定する係止用突出部が縦向きに設けられ、この係止用突出部に前記ＡＣコードの二股状部分が係入される係入溝が形成されている請求項２乃至５のいずれかに記載のＡＣコードの接続構造。
【発明の詳細な説明】
【技術分野】
【０００１】
本発明は、筐体の内部に基板を配設し、この基板にＡＣコードを接続するようにしたＡＣコードの接続構造に関するものである。
【背景技術】
【０００２】
従来、この種のＡＣコードの接続構造は、基板の電源ブロックの一次側で、ＡＣコードと基板の半田付け部分が、ＡＣコードの先端の銅線束が剥き出しになっている箇所がある。この剥き出しになっている部分が物理的負荷をかけるうちに、束になっている銅線が切れ始めてＡＣコードの２極間がショートして火災の原因となることがあるという問題があった。
【０００３】
第１の従来技術を図７（ａ）（ｂ）に示す。これは、図７（ａ）（ｂ）に示すように、ブッシング１０１は下面を基板１０２に当接するプラスチックで形成され、リード線１０３が挿通される挿通孔１０４をリード線１０３が引き出される背面側からリード線１０３が基板１０２と接続される前面側に向かうに従って基板１０２の面に近づくように設ける。
また、ブッシング１０１の下面両側より係止爪１０８を突設し、基板１０２に係止爪１０８と対応する係合孔１０９を設ける。先端を所定の長さだけ被覆を剥いだリード線１０３を開口孔１０５より突き当りまで挿入し、係止爪１０８を基板１０２の係合孔１０９に差し込む。芯線１０７は基板１０２の配線パター１１０と平行となるように強制的に折り曲げられ、芯線１０７の先端と配線パター１１０は密着する。この状態で芯線１０７を配線パター１１０に半田付けするようになっている。（例えば、特許文献１参照）。
【０００４】
ところが、これにおいては、挿通孔１０４にリード線１０３を差し込んでからでないと半田付けすることができず、その作業が行い難いという問題があった。
【０００５】
第２の従来技術を図８（ａ）（ｂ）に示す。これは、図８（ａ）（ｂ）に示すように、シャーシ２０１にパネル２０６を取り付けるようにした電気機器のシャーシ２０１上に配設される電気部品に接続されたリード線２０４を、電気機器内で保持するようにした電気部品のリード線保持構造であって、シャーシ２０１の内壁面２１４から二股状の棒状保持突起２０７、２０７を、パネル２０６の内壁面２６１の近接位置まで突設し、この棒状保持突起２０７、２０７の二股間に、電気部品のリード線２０４を挿入して、このリード線２０４を抜け止め状態で保持するように構成した。（例えば、特許文献２参照）。
【０００６】
ところが、これは、リード線２０４を固定しているだけで、半田付けする部分ではなかった。
【０００７】
第３の従来技術を図９に示す。これは、図９に示すように、フラットケーブル３１０を構成するシールド電線３１１の端末の絶縁層３１４から、芯線３１５が露出して突出されている。ＦＰＣ３２０上には、導電路３２６が芯線３１５と同じピッチで形成されている。導電路３２６の形成領域の手前側には、位置決め部材３３０は、絶縁層３１４が嵌入される電線嵌入溝３３３が同じピッチで形成された櫛歯状をなしている。フラットケーブル３１０の各シールド電線３１１の絶縁層３１４を位置君部材３３０の電線嵌入溝３３３に合わせて押し込むと、各芯線３１５が所定ピッチで整列してそれぞれ導電路３２６の直上位置に対応する。各芯線３１５は導電路３２６に押し付けられつつハンダ付けさる。          
【０００８】
（例えば、特許文献３参照）。
【０００９】
ところが、これにおいては、芯線３１５が途中で切れた場合に短絡してしまう虞があった。
【特許文献１】特開２００３−１８９５３６号公報
【特許文献２】実登３０６５１１５号公報
【特許文献３】特開２００１−６０４６９号公報
【発明の開示】
【発明が解決しようとする課題】
【００１０】
本発明は、上記従来の問題に鑑みてなされたものであって、ＡＣコードの２本の銅線束の二極間を完全に絶縁することができて、切れた銅線束の銅線が接触することを防ぐことができ、接触による火災の発生等を防止することができるＡＣコードの接続構造を提供することを目的としている。
【課題を解決するための手段】
【００１１】
本発明は、上記課題を解決するために提案されたものであって、請求項１に記載の発明は、合成樹脂からなる筐体の内部に基板を配設し、この基板にＡＣコードを接続するようにしたＡＣコードの接続構造において、前記合成樹脂からなる筐体の所定箇所に上向きで且つ一体に小壁部が突出形成され、この小壁部の上端に略Ｌ字形の係止片が設けられ、前記基板には前記小壁部と対応する箇所に切り溝が形成され、前記基板が前記筐体内に配置されるときに、前記基板の切り溝に前記小壁部が嵌め入れられ、前記筐体の側壁に設けられた溝部分から筐体内に入り込んだＡＣコードの先端が二股状にされ、この二股状部分が前記小壁部を跨ぐように配設され、更に、このＡＣコードの二股状部分の近傍に形成された貫通孔が前記小壁部の上端の略Ｌ字形の係止片に嵌められて係止され、前記ＡＣコードの二股状部分の先端の銅線束が前記基板のパターンに半田付けで接続されるように構成されたことを特徴としている。
【００１２】
請求項２に記載の発明は、合成樹脂或いは金属からなる筐体の内部に基板を配設し、この基板にＡＣコードを接続するようにしたＡＣコードの接続構造において、前記筐体の所定箇所に上向きの小壁部が立設され、前記基板には前記小壁部と対応する箇所に切り溝或いは孔部が形成され、前記基板が前記筐体内に配置される時に、前記基板の切り溝或いは孔部に前記小壁部が嵌め入れられ、前記筐体の側壁から内部に入り込んだＡＣコードの先端が二股状にされ、この二股状部分が前記小壁部を跨ぐように配設され、この二股状部分の先端の銅線束が前記基板のパターンに半田付けで接続されるように構成されたことを特徴としている。
【００１３】
請求項３に記載の発明は、前記筐体は合成樹脂からなり、前記小壁部は前記筐体の所定箇所に上向きで且つ一体の山形状に形成されている。
【００１４】
請求項４に記載の発明は、前記筐体は金属からなり、前記小壁部の下部に一対の脚部が設けられ、この脚部の下端に係止爪が形成され、前記筐体には、前記小壁部の一対の脚部が挿入されて前記係止爪が下面に係止される係止孔が形成されている。
【００１５】
請求項５に記載の発明は、前記筐体の係止孔の周囲部分が上向きに盛り上がり形成され、前記小壁部の脚部の下部が挿入されて係止爪が係止された状態で、前記脚部の下端が前記筐体の下面より下側に突出しないように構成されている。
【００１６】
請求項６に記載の発明は、前記小壁部の両面に、前記ＡＣコードの二股状部分を抜け止め固定する係止用突出部が縦向きに設けられ、この係止用突出部に前記ＡＣコードの二股状部分が係入される係入溝が形成されている。
【発明の効果】
【００１７】
請求項１に記載の発明によれば、筐体に一体に上向きに設けられた小壁部でＡＣコードの二股状部分が完全に分離されて絶縁されるので、切れた銅線束が接触することを防ぐことができ、接触による火災の発生等を防止することができる。また、小壁部の上端の略Ｌ字形の係止片にＡＣコードの二股状部分の近傍に形成された貫通孔に嵌められて係止されるので、このＡＣコードが外れたり傾いたりすることがなくて、ＡＣコードを安全に保持することができる。また、基板の切り溝が小壁部に嵌め込まれるので、基板の位置決めを行うことができる。
【００１８】
請求項２に記載の発明によれば、筐体に立設された小壁部でＡＣコードの二股状部分が完全に分離されて絶縁されるので、切れた銅線束が接触することを防ぐことができ、接触による火災の発生等を防止することができる。また、基板の切り溝あるいは孔部が小壁部に嵌め込まれるので、基板の位置決めを行うことができる。
【００１９】
請求項３に記載の発明によれば、合成樹脂からなる筐体に、小壁部が一体に立設されるので、この小壁部が倒れたり傾いたりすることがなく、ＡＣコードを安全に絶縁することができる。また、この小壁部が山形状に形成されているので、ＡＣコードの二股状部分がこの山形状の小壁部の傾斜に沿わせることができる。
【００２０】
請求項４に記載の発明によれば、金属からなる筐体に形成された係止孔に小壁部の一対の脚部の係止爪が係入係止されるので、この小壁部が外れたり傾いたりすることがなくて、ＡＣコードを安全に絶縁することができる。
【００２１】
請求項５に記載の発明によれば、金属からなる筐体の係止孔の周囲部分が上向きに盛り上がり形成されているので、この係止孔に係入係止される小壁部の一対の脚部の下端が筐体より下側に突出しないので、この筐体が配置される装置本体の下面に小壁部の一対の脚部が当たることを防ぐことができる。
【００２２】
請求項６に記載の発明によれば、小壁部の両面の係止用突出部の係入溝にＡＣコードを係入することができるので、ＡＣコードの二股状部分がばらつくことを防ぐことができる。
【発明を実施するための最良の形態】
【００２３】
以下、本発明に係るＡＣコードの接続構造の実施の形態について、図を参照しつつ説明する。
【００２４】
図１は本発明の第１実施形態のＡＣコードの接続構造を示し、（ａ）はその全体構造の斜視図、（ｂ）はその要部の分解斜視図、（ｃ）はその要部の断面図である。
【００２５】
この第１実施形態のＡＣコードの接続構造は、図１（ａ）（ｂ）（ｃ）に示すように、合成樹脂からなる筐体１の所定箇所に上向きで且つ一体に小壁部２が突出形成され、この小壁部２の上端に略Ｌ字形の係止片３が設けられている。基板４には小壁部２と対応する箇所に切り溝４ａが形成され、基板４が筐体１内に配置されるときに、基板４の切り溝４ａに小壁部２が嵌め入れられる。また、筐体１の側壁１ａに設けられた溝部分１ｂから筐体１内に入り込んだＡＣコード５の先端が二股状にされ、この二股状部分５ａ、５ｂが小壁部２を跨ぐように配設されている。更に、このＡＣコード５の二股状部分５ａ、５ｂの近傍に形成された貫通孔５ｃが小壁部２の上端の略Ｌ字形の係止片３に嵌められて係止され、ＡＣコード５の二股状部分５ａ、５ｂの先端の銅線束６が基板４のパターン（図示略）に半田付けで接続されるようになっている。
【００２６】
従って、この第１実施形態によれば、筐体１に一体に上向きに設けられた小壁部２でＡＣコード５の二股状部分５ａ、５ｂが完全に分離されて絶縁されるので、切れた銅線束６が接触することを防ぐことができ、接触による火災の発生等を防止することができる。また、小壁部２の上端の略Ｌ字形の係止片３にＡＣコード５の二股状部分５ａ、５ｂの近傍に形成された貫通孔５ｃに嵌められて係止されるので、このＡＣコード５が外れたり傾いたりすることがなくて、ＡＣコード５を安全に保持することができる。また、基板４の切り溝４ａが小壁部２に嵌め込まれるので、基板４の位置決めを行うことができる。
【００２７】
図２は第２実施形態のＡＣコードの接続構造の要部の断面図である。
【００２８】
この第２実施形態のＡＣコードの接続構造は、図２に示すように、筐体１が合成樹脂からなり、小壁部２Ａは筐体１の所定箇所に上向きで且つ一体の山形状に形成されている。
【００２９】
従って、この第２実施形態によれば、小壁部２Ａが山形状に形成されているので、ＡＣコード５の二股状部分５ａ、５ｂがこの山形状の小壁部２Ａの傾斜に沿わせることができる。  
【００３０】
図３はＡＣコードの保持機構を示す部分平面図である。
【００３１】
このＡＣコードの保持構造は、図３に示すように、筐体１の溝部分１ｂに、ＡＣコード５の被覆部分の途中に設けられ周囲に溝を有する係止部材７が嵌め込まれている。
【００３２】
従って、係止部材７を筐体１の溝部分に嵌め込むことによって、ＡＣコード５の被覆部分を筐体１に固定することができる。  
【００３３】
図４は第３実施形態のＡＣコードの接続構造の要部の断面図である。
【００３４】
この第３実施形態のＡＣコードの接続構造は、図４に示すように、筐体１は金属からなり、小壁部２の下部に一対の脚部２ａ、２ｂが設けられ、この脚部２ａ、２ｂの下端に係止爪２ｃ、２ｄが形成され、筐体１には、小壁部２の一対の脚部２ａ、２ｂが挿入されて係止爪２ｃ、２ｄが下面１ｅに係止される係止孔１ｃ、１ｄが形成されている。
【００３５】
従って、この第３実施形態によれば、金属からなる筐体１に形成された係止孔１ｃ、１ｄに小壁部２の一対の脚部２ａ、２ｂの係止爪２ｃ、２ｄが係入係止されるので、この小壁部２が外れたり傾いたりすることがなくて、ＡＣコード５を安全に絶縁することができる。  
【００３６】
図５は第４実施形態のＡＣコードの接続構造の要部の断面図である。
【００３７】
この第４実施形態のＡＣコードの接続構造は、図５に示すように、筐体１の係止孔１ｃ、１ｄの周囲部分が上向きに盛り上がり形成され、小壁部２の脚部２ａ、２ｂの下部が挿入されて係止爪２ｃ、２ｄが係止された状態で、脚部２ａ、２ｂの下端が筐体１の下面１ｅより下側に突出しないように構成されている。
【００３８】
従って、この第４実施形態によれば、筐体１の係止孔１ｃ、１ｄに係入係止される小壁部２の一対の脚部２ａ、２ｂの下端が筐体１より下側に突出しないので、この筐体１が配置される装置本体の下面に小壁部２の一対の脚部２ａ、２ｂが当たることを防ぐことができる。
【００３９】
図６は第５実施形態のＡＣコードの接続構造の要部の平面図である。
【００４０】
この第５実施形態のＡＣコードの接続構造は、図６に示すように、小壁部２の両面に、ＡＣコード５の二股状部分５ａ、５ｂを抜け止め固定する係止用突出部１ｆ、１ｇが縦向きに設けられ、この係止用突出部１ｆ、１ｇにＡＣコード５の二股状部分５ａ、５ｂが係入される係入溝１ｈ、１ｉが形成されている。
【００４１】
従って、この第５実施形態によれば、筐体１に立設された小壁部２の両面の係止用突出部１ｆ、１ｇの係入溝１ｈ、１ｉにＡＣコード５を係入することができるので、ＡＣコード５の二股状部分５ａ、５ｂがばらつくことを防ぐことができる。
【図面の簡単な説明】
【００４２】
【図１】本発明の第１実施形態のＡＣコードの接続構造を示し、（ａ）はその全体構造の斜視図、（ｂ）はその要部の分解斜視図、（ｃ）はその要部の断面図である。
【図２】第２実施形態のＡＣコードの接続構造の要部の断面図である。
【図３】ＡＣコードの保持機構を示す部分平面図である。
【図４】第３実施形態のＡＣコードの接続構造の要部の断面図である。
【図５】第４実施形態のＡＣコードの接続構造の要部の断面図である。
【図６】第５実施形態のＡＣコードの接続構造の要部の平面図である。
【図７】従来の電動機のブッシングを示し、（ａ）はその斜視図、（ｂ）はその断面図である。
【図８】従来の電気部品のリード線保持構造を示し、（ａ）はその分解斜視図、（ｂ）はその断面図である。
【図９】従来のフラットケーブルの接続構造を示す分解斜視図である。
【符号の説明】
【００４３】
１        筐体
１ａ      側壁
１ｂ      溝部分
１ｃ      係止孔
１ｄ      係止孔
１ｅ      下面
１ｆ      突出部
１ｇ      突出部
１ｈ      係入溝
１ｉ      係入溝
２        小壁部
２Ａ      小壁部
２ａ      脚部
２ｂ      脚部
２ｃ      係止爪
２ｄ      係止爪      
３        係止片
４        基板
４ａ      切り溝
５        ＡＣコード
５ａ      二股状部分
５ｂ      二股状部分
５ｃ      貫通孔
６        銅線束
７        係止部材
【図１】
2006012618.tif 000003
【図２】
2006012618.tif 000004
【図３】
2006012618.tif 000005
【図４】
2006012618.tif 000006
【図５】
2006012618.tif 000007
【図６】
2006012618.tif 000008
【図７】
2006012618.tif 000009
【図８】
2006012618.tif 000010
【図９】
2006012618.tif 000011